(57)【特許請求の範囲】
【請求項１】
ヘッドギア装置であって、
ヘルメットと、
ファンと、
前記ヘルメットに選択的に連結される衣服と、
を具備し、
前記ヘルメットが、使用者の頭部上に支持されるように構成された外殻部、および前記ファンが中に配置されるファンハウジングを備えており、
前記外殻部が前端部および後端部を備えており、
前記外殻部が前記前端部および後端部の間に延在する孔を有するように構成されており、前記ファンハウジングが当該前端部および後端部の間の孔の中で移動可能である、
ヘッドギア装置。
【請求項２】
前記衣服がフェイスシールドを備えている、請求項１に記載の装置。
【請求項３】
前記孔が少なくとも１つの案内路により画定されており、前記ファンハウジングが当該少なくとも１つの案内路に係合している、請求項１または２に記載の装置。
【請求項４】
前記ファンハウジングが前記少なくとも１つの案内路に沿って延在する少なくとも１つのボス部を有するように形成された床部を備えている、請求項３に記載の装置。
【請求項５】
前記ファンハウジングが前記孔を貫通するガイド部材を備えている、請求項１〜４のいずれかに記載の装置。
【請求項６】
前記外殻部が内面部および外面部を備えており、前記孔が当該内面部および外面部の間に延在していて、前記ヘルメットが当該孔の近くの前記外殻部の内面部に連結されたシールドをさらに備えている、請求項１〜５のいずれかに記載の装置。
【請求項７】
前記外殻部が内面部および外面部を備えており、前記ヘルメットが前記外殻部の内面部から離間する内側パネルをさらに備えていて、当該内側パネルと前記外殻部の内面部との間に延在する通路が画定されている、請求項１〜５のいずれかに記載の装置。
【請求項８】
前記通路が前記ファンハウジングと前記外殻部の前端部との間に延在している、請求項７に記載の装置。
【請求項９】
前記外殻部が、前記前端部近傍に、前記衣服に取り付けるように形成されたシールド取付部材を備えている、請求項１〜８のいずれかに記載の装置。
【請求項１０】
前記シールド取付部材がフック−ループ式ファスナを備えている、請求項９に記載の装置。
【請求項１１】
前記シールド取付部材が前記フェイスシールドに係合するように形成されたフランジを備えている、請求項９に記載の装置。
【請求項１２】
前記ヘルメットの前記外殻部が空孔部を画定しており、前記ファンハウジングが当該空孔部の中に配置される、請求項１〜１１のいずれかに記載の装置。
【請求項１３】
前記ヘルメットが前記ファンハウジングに連結されて通気路を画定する空気ダクトを備えている、請求項１２に記載の装置。
【発明の詳細な説明】
【０００１】
【技術分野】
本発明は空気を移動して治療者の頭部を冷却するためのヘッドギア装置に関し、特に、外科手術中に飛び出る流体や他の物質から治療者を保護しながら新鮮な空気の流れを治療者に供給するヘッドギア装置に関する。さらに、本発明はヘルメット、ファン、および手術服を含むヘッドギア装置に関する。
【０００２】
【発明の背景】
ヘルメットにファン（送風機）を備えることは公知である。例えば、Greenough に付与された米国特許第５，１２５，４０２号、Gormanに付与された米国特許第４，１３６，６８８号、Thomas, Jr.他に付与された米国特許第５，５９２，９３６号、Bare他に付与された米国特許第５，０５４，４８０号を参照されたい。これらの従来のヘルメットは所定の位置に存在するように位置決めされたファンを担持しているが、この位置はヘルメットの装着者にとってかならずしも好適でない場合がある。
【０００３】
また、手術ガウンに所定の長さを備えることが公知である。例えば、Viemeister他に付与された米国特許第５，１４２，７０４号およびStackhouse他に付与された米国特許第５，２５３，６４２号を参照されたい。
【０００４】
【発明の概要】
本発明によれば、ヘッドギア装置が提供される。この装置は使用者の頭部の上に支持されるように構成された外殻部と、当該外殻部に移動可能に連結されたファンハウジングと、当該ファンハウジング内に存在するように位置決めされたファンと、衣服（手術服）と、を備えるヘルメットにより構成されている。この衣服は、ヘルメットに選択的に連結され、フェイスシールドを備えている。
【０００５】
好ましい実施形態において、上記外殻部は前端部、後端部、および当該前端部および後端部の間に延在する孔を備えている。また、上記ファンハウジングは上記孔の中に延在して上記前端部および後端部の間を移動して外殻部上のファンを移動させるためのガイド部材を備えている。この外殻部の中の孔は少なくとも１つの案内路により画定されており、ファンハウジングは当該少なくとも１つの案内路に沿って延在する少なくとも１つのボスを有する床部を備えている。加えて、このヘルメットは上記孔の近くの外殻部の内面に連結するシールドを備えている。
【０００６】
さらに、このヘルメットは外殻部の内面から離間した内側パネルを備えており、この内側パネルと外殻部の内面との間に延在する通路を画定している。特に、この通路はファンハウジングと外殻部の前端部との間に延在している。また、空気ダクトがファンに連結していて通気路を画定している。この空気ダクトは外殻部上のファンハウジングと共に移動可能であって、上記通路内を移動して空気の流れを使用者の顔面に送給する。さらに、衣服の取付用のヘルメットシールド取付部材が外殻部の前端部近傍に配置されている。
【０００７】
本発明の別の実施形態において、ヘッドギア装置が提供され、当該ヘッドギア装置は、使用者の頭部上に支持されるように構成されていて前端部および後端部を備えている外殻部と、当該外殻部に連結したファンハウジングと、当該ファンハウジング内に存在するように配置されたファンと、ヘルメットに選択的に連結される衣服と、を備えているヘルメットにより構成されている。
【０００８】
本発明のさらに別の実施形態においては、ヘルメットおよび当該ヘルメットに選択的に連結される衣服により構成されているヘッドギア装置が提供される。この衣服はフェイスシールドを有するヘッド部分と、前面部と、反対側の背面部を備えている。この前面部は第１の通常の所定の長さを定める上端部および下端部と、これらの上端部および下端部の間に延在する中間部を有している。一方、背面部は前面部の第１の通常の所定の長さよりも短い第２の通常の所定の長さを有している。前面部の下端部は中間部において折りたたまれていて、折りたたまれた状態で固定されており、前面部は背面部の第２の通常の所定の長さとほぼ等しい折りたたまれた長さを有している。
【０００９】
本発明のさらに別の特徴および利点は、本発明を実施する最良の態様と現在において考えられる好ましい実施形態についての以下の詳細な説明を参考にすることにより、当業者にとって明らかになるであろう。
【００１０】
【好ましい実施形態の詳細な説明】
図１，図２および図７に示すように、手術服１４およびヘルメット１２がヘッドギア装置１０を形成するために本発明に従って提供される。ヘルメット１２は衣服１４と協働して手術中に飛び出る流体や物質から使用者を保護しながら新鮮な空気を使用者に供給する。加えて、ヘルメット１２および衣服１４は協働して外科手術中の汚染からの患者の保護を補助する。
【００１１】
図１はヘッドギア装置１０の衣服１４を示す図である。この衣服１４は布地部分１６と、当該布地部分１６に連結したフィルター媒体１８と、フェイスシールド２０を備えている。布地部分１６は外面部２２および反対側の内面部２４を有している。この布地部分１６は一般に汚染流体およびアエロゾルの流通を阻止する従来のポリエステル織地により構成されている。しかしながら、この衣服部分は不織布または本発明の開示に従う多様な種類の天然または合成繊維により構成できる。
【００１２】
図２〜図４において、本発明によるヘルメット１２は衣服１４と共に使用するように構成されている。ヘルメット１２はファン受容空孔部１１６を画定する外殻部１１４と、当該空孔部１１６の中に配置された移動可能なファンハウジング１２０と、当該ファンハウジング１２０から延出する空気ダクトまたは前方筒口１２４と、空気流偏向装置１２６を備えている。さらに、外殻部１１４は前端部１２８と、反対側の後端部１３０と、当該前端部１２８および後端部１３０の間に延在する中心線１３２を有している。加えて、外殻部１１４は使用者の頭部２８に対向するように構成された内面部１３４と、反対側の外面部１３６と、当該外面部１３６および内面部１３４の間に延在する換気孔１４４を有している。図３に最良に示すように、内側パネル１３８は外殻部１１４の内面部１３４から離間していて、これらの間に通路１１８を画定している。通路１１８は入口１４０および外殻部１１４の前端部１２８の近傍の反対側出口１４２を有している。
【００１３】
図２に示すように、ヘルメット１２の外殻部１１４はさらに前端部１２８の近くにシールド取付部材１４６を備えている。このシールド取付部材１４６はヘルメット１２に連結したフック−ループ式ファスナ１４８および衣服１４のフェイスシールド２０に係合するように構成された位置決めフランジ１５０を有している。なお、本発明に従う機械的な係止機構および任意数の取付装置がフェイスシールド２０およびヘルメット１２を連結するために使用できることが理解される。位置決めフランジ１５０は対応するフェイスシールド２０のための機械的停止部材であり、衣服１４を装着した場合に使用者に対して適正なシールドの位置決めおよび配向を行なう。
【００１４】
図４に最良に示すように、外殻部１１４はまた空孔部１１６の近傍に案内路孔１５４を備えている。この孔１５４は長さ方向に沿って幾つかの型押しした円形の戻り止め１５８を有する反対側の案内路１５６により画定されている。各案内路１５６は外殻部１１４の後端部１３０から前端部１２８に概ね延在していて中心線１３２に沿うファンハウジング１２０の矢印１５７に示すような移動を案内する。なお、戻り止め１５８の間隔は本発明の開示の範囲から逸脱することなく変更可能であることが理解される。
【００１５】
加えて、ヘルメット１２は使用者の頭部２８または毛髪が案内路孔１５４内に入り込むのを阻止するためのヘッドシールド１６０を備えている。このヘッドシールド１６０はフック−ループ式ファスナ（図示せず）により外殻部１１４に連結しているが、本発明に従う種々のファスナが使用できることが理解される。頭部支持パッド１６２がヘッドシールド１６０に連結していて、案内路１５６に沿って延在するように構成されている。このパッド１６２は発泡ゴムにより構成されているが、本発明に従う種々のパッドが使用できることが理解される。
【００１６】
図３において、ヘルメット１２のファンハウジング１２０は空孔部１１６の中に配置されている。このハウジング１２０はヘルメット１２の中心線１３２に沿って型押しした案内路１５６上に接合している。ファンハウジング１２０は約３０度の範囲で移動できる。それゆえ、使用者はファンハウジング１２０の重量を再分配することによりヘルメット１２の平衡の中心を自由に調節できる。しかしながら、このファンハウジング１２０の移動範囲は本発明に従って約３０度よりも大きくてもよく、また小さくてもよいことが理解される。ファンハウジング１２０は外殻部１１４の近くに配置される床部１７０と、当該床部１７０から延出して開口部１７４を内部に画定する側壁部１７２と、当該側壁部１７２に選択的に連結するように構成されたカバー１７６を備えている。
【００１７】
さらに、ファンハウジング１２０は床部１７０から延出して案内路１５６に沿って延在している円形のボス部１８０を有している。このボス部１８０は円形の型押しした戻り止め１５８に係合してファンハウジング１２０の位置決めを容易にする。図４に最良に示すように、ガイド１８２がファンハウジング１２０に連結して孔１５４を貫通している。このガイド１８２はネジ１８３によりファンハウジング１２０に連結している。さらに、このガイド１８２をファンハウジング１２０から取り外して、ファンハウジング１２０をヘルメット１２から取り外すことができる。なお、上記のボス１８０およびガイド１８２は、本発明に従って、種々の形状に形成でき、例えば、ピン、リベット、ステープル等のような種々のファスナを用いてファンハウジング１２０に連結できることが理解される。
【００１８】
図５において、ファンハウジング１２０のカバー１７６が使用者の頭部における衣服１４を安定化するためのフィルター媒体１８に連結している。このカバー１７６は図５および図１１に最良に示されている。このカバー１７６は複数の孔１７７を備えて形成された上部１７５と、当該上部１７５およびファンハウジング１２０の間に配置された入口リング１７９を備えている。図１１において、入口リング１７９は外側リム１８１と、シールド部分１６４と、当該シールド部分１６４を貫通する孔１８５を備えている。この入口リング１７９の外側リム１８１は、図１３に示すように、ファンハウジング１２０と係合するように構成されたタブ１８９を備えている。加えて、シールド部分１６４はファンハウジング１２０から上部１７５に向って延出するように構成された湾曲部分１９９を有している。さらに、図５において、カバー１７６の入口リング１７９および上部１７５は側壁部１７２の直径よりも大きな直径を有していて、半径方向に延出するリップ部分１７８を画定している。衣服１４上のフィルター媒体１８は装着時にこのファンハウジング１２０のリップ部分１７８を把持してこれらの間にシールを形成する。このフィルター媒体１８およびファンハウジング１２０は協働して当該フィルター媒体１８を通して概ね外気のみをハウジング１２０内に引き込んで使用者の顔面に供給する。
【００１９】
図５に示すように、ヘルメット１２の空気ダクト１２４は矢印１８５で示すように空気の流れを使用者の顔面に供給する。この空気ダクト１２４はファンハウジング１２０と共に空気の流れを囲むように作用する。また、この空気ダクト１２４は入口１４０を通してヘルメット１２の通路１１８内にファンハウジング１２０の側壁部１７２から延出している。図３に示すように、空気ダクト１２４はファンハウジング１２０に連結した外端部１９４と、通路１１８内に配置されている内端部１９６と、これらの内端部１９６および外端部１９４の間に延在する中間部１９８を備えている。図５に戻って、空気ダクト１２４は内部において矢印１８５で示す空気の流れを可能にするように構成された流路２１０を画定する。矢印１５７に示すような中心線１３２に沿う空孔部１１６内のファンハウジング１２０の移動により、空気ダクト１２４が通路１１８内で移動する。これにより、ファンハウジング１２０が通路１１８側に移動すると、空気ダクト１２４の内端部１９６が外殻部１１４の前端部１２８に向って移動する。
【００２０】
さらに、ヘルメット１２の空気流偏向装置１２６は外殻部１１４の前端部１２８において通路１１８の出口１４２の近傍に配置されている。この空気流偏向装置１２６は、図５の矢印１８５により示すように、空気の流れを変えて使用者の所望の場所に向ける。この空気流偏向装置１２６は外殻部１１４の前端部１２８を貫通する前方固定タブ２１６に連結している。図５に仮想線で示すように、この前方固定タブ２１６は前端部１２８に対して移動可能であり、空気流偏向装置１２６を通路１１８の出口１４２に対して出入する。
【００２１】
図５および図６に示すように、ヘッドギア装置１０はさらにファンハウジング１２０の開口部１７４内に配置されるファン１２２を備えている。このファン１２２は１２ボルトモーター１８４およびブレード１８６を備えており、これらのブレード１８６は当該ブレードの矢印１８８で示す回転方向と逆の湾曲部を有するように形成されている。これらのブレード１８６の逆の湾曲部は開口部１７４内の乱流を減少させてファンハウジング１２０内の空気の流れを改善し、小型のＤＣモーター１８４により空気流を発生させると考えられる。図５に最良に示すように、空気がカバー１７６を通してファン１２２内に引き込まれて、概ねモーター１８４に向う方向に流れる。ブレード１８６は矢印１８８で示す方向に回転して空気をモーター１８４から空気ダクト内１２４に半径方向に外側に移動させる。このように湾曲状のブレード１８６を図示して説明したが、本発明に従って種々のブレードが使用できることが理解される。加えて、一定範囲の空気入力および空気出力の形状および寸法、および一定範囲の空気流の形状を有する種々のファンが装置１０と共に使用できる。また、モーター１８４を駆動するのに必要な電圧も本発明に従って変更できることが理解される。図５に最良に示すように、電力コード１９０がモーター１８４から延出して電力コネクタ１９２に選択的に連結している。なお、この電力コード１９０を電力コネクタ１９２から取り外してヘルメット１２からファン２２を取り外せることが理解される。
【００２２】
図２および図４において、ストラップ部材２１４が固定タブ２１７により外殻部１１４に連結している。固定タブ２１７がストラップ部材２１４をヘルメット１２に固定しているので、ストラップ部材２１４とヘルメット１２との間の安定性が増す。図４に示すように、このストラップ部材２１４は固定タブ２１７に連結する第１の部分２１８と、回動ピン２２２により当該第１の部分２１８に連結する首筋ストラップ２２０を備えている。このストラップ部材２１４の第１の部分２１８はＵ字形状のバンド２６０と、当該バンド２６０から延出して固定タブ２１７に連結する取付タブ２６２を有している。図４に示すように、パッド１６６が使用者の頭部２８に対する係合用にバンド２６０に連結している。
【００２３】
首筋ストラップ２２０は切り欠き孔２５０を有していて当該切り欠き孔２５０から離間した回動ピン２２２により画定される回動点の周りに回転する。それゆえ、首筋ストラップ部材２２０により、使用者はストラップ部材２１４の最適の位置（角度）を選択できる。この首筋ストラップ２２０はストラップカバー２２３の中に進入していて、調節ノブ２２４と協働してストラップ部材２１４を締め付ける。図５に示すように、ノブ２２４は切り欠き孔２５０を貫通して首筋ストラップ部材２２０に係合するハンドル部分２５２および歯部２５４を備えている。すなわち、ハンドル部分２５２を回すと、歯部２５４が孔２５０の切り欠き部分に係合して首筋ストラップ部材２２０が互いに移動する。それゆえ、ノブ２２４は首筋ストラップ部材２２０の全長を増減して、使用者がストラップ部材２１４を特定の寸法に調節できるように構成されている。さらに、パッド１６８が頭部２８への係合用にストラップカバー２２３に連結している。以上のように、ストラップ部材２１４を図示して記載したが、種々のストラップ部材が本発明の開示に従って外殻部１１４に連結できる。
【００２４】
図５および図７〜図９に示すように、衣服１４はヘルメット１２に連結してヘッドギア装置１０を形成している。衣服１４の繊維部分１６は仮想線の使用者の頭部２８（図５）を被覆するように構成されたヘッド部２６と、使用者の胸部（図示せず）の近くに存在するように構成された前面部３０と、当該前面部３０にシーム部材３４において連結した反対側の背面図３２と、シーム部材３４近くにおいて前面部３０および背面部３２に連結した腕部分３６を備えている。なお、この衣服１４は本発明の開示に従って図１に示すようなヘッド部２６のみを備えるように形成できる。図７において最良に示すように、各腕部３６は使用者の腕（図示せず）にほぼ固定状態で腕部分３６を保持するために使用者の手首（図示せず）に係合するように構成された弾性カフ３８を備えている。
【００２５】
図９において、繊維部分１６の背面部３２は第１のパネル４０および第２のパネル４２を備えている。ヘッド部２６は第１のパネル４０および第２のパネル４２の交差部の近くに形成されたスリット４４を備えている。背面部３２におけるこれらの第１のパネル４０および第２のパネル４２、およびヘッド部２６におけるスリット４４はジッパー４６により連結してヘッド部２６および背面部３２が幅方向に延伸して衣服１４の装着を助長できるようにしている。なお、ジッパー４６は上記のように図示しかつ説明したが、種々の固定機構が第１のパネル４０および第２のパネル４２を連結するために本発明の開示に従って使用できることが理解される。加えて、シーム部材が縫い付けられているが、シール式のシーム部材も本発明の開示に従って使用できることが理解される。また、衣服１４はジッパー無しのトーガ（図示せず）のように形成することも可能である。
【００２６】
図８に示すように、繊維部分１６の前面部３０および背面部３２はそれぞれ上部シーム部材５０によりヘッド部２６に連結した上端部４８、反対側の下端部５２、およびこれら上端部４８と下端部５２との間に延在する中間部５４を備えている。繊維部分１６の前面部３０は線５６で示すような通常の所定の長さを有しており、この長さは背面部３２の線５８で示すような通常の所定の長さよりも長い。前面部３０の下端部５２は中間部５４上で矢印６０により示すような折りたたまれた状態に折りたたまれて前面部材３０を衣服１４の背面部３２の通常の所定の長さ５８にほぼ等しい線６２で示すような折りたたまれた所定の長さにしている。前面部３０の下端部５２は繊維部分１６の内面部２４の近くに接着部材６６により折りたたまれた状態６０で保持される。図において、接着部材６６は一面性テープであるが、種々の接着部材または固定手段が本発明に従って前面部３０を折りたたんだ状態６０で保持するために使用できることが理解される。前面部３０は下端部５２を上端部４８から引き離して接着部材６６を解除して前面部３０を巻き戻すことにより線５６で示す通常の長さに調節できる。これにより、衣服１４の使用者は必要に応じて衣服１４の前面部３０を長くして飛び出す流体や物質から自分を保護できる。
【００２７】
図５において、衣服１６のヘッド部２６は貫通するシールド受容孔７０を定めるリム６８を備えている。このリム６８は図７に示すような衣服１４の前面部３０の近くに配置されている。加えて、ヘッド部２６は貫通するフィルター受容孔７４を定めるリップ部７２を備えている。図において、フェイスシールド２０はリム６８に連結している。このフェイスシールド２０はシールド部分７８および当該シールド部分７８から延出する境界部８０を備えている。このシールド部分７８は球根状の形状をしていて、流体を通過させない概ね透明な材料により構成されている。フェイスシールド２０の境界部８０は接着部材（図示せず）によりヘッド部２６のリム６８に連結している。しかしながら、種々の取付機構がこのフェイスシールド２０をリム６８に連結するために使用できる。例えば、フック−ループ式ファスナ（図示せず）を境界部８０に連結してシールド取付部材１４６のフック−ループ式ファスナ１４８と協働させることもできる。以上のようにフェイスシールド２０を図示し説明したが、フェイスシールド２０は種々の形状および寸法に構成でき、種々の材料により形成することが可能である。
【００２８】
フィルター媒体１８はリップ部材７２に連結してフィルター受容孔７４を被覆することにより空気に含まれる粒子を除去する。これについては図５を参照されたい。このフィルター媒体１８はミネソタ州セント・ポールのミネソタ・マイニング・アンド・マニュファクチャリング社（Minnesota Mining and Manufacturing Co.）から３Ｍ・Ｇ１５０として市販される積層不織布カバーであるが、空気の流れを著しく損なうことなく空気に含まれる粒子を除去するのに適する活性炭および他の種々の材料が本発明の開示に従って使用できることが理解される。図５に最良に示すように、フィルター媒体１８は前端部９２およびヘッド部２６におけるスリット４４の近傍に配置される反対側の後端部９４を備えている。このフィルター媒体１８の前端部９２および後端部９４はシーム部材（図示せず）により衣服１４に連結している。加えて、弾性体バンド９８が前端部９２および後端部９４から離間してフィルター媒体１８を横切って延在している。なお、この弾性体バンド９８はフィルター媒体１８の後端部９４の近傍のシーム部材の部分に沿って延在することができ、フィルター媒体９８は本発明の開示に従ってひも、縫い付けギャザー等の種々の取付機構により衣服１４に連結できる。
【００２９】
図９に示すように、衣服１４はさらにヘッド部２６と前面部３０および後面部３２との間の交差部１０２において繊維部分１６の内面部２４から延出するように配置された肩ひも１００を備えている。この肩ひも１００は小柄な使用者の場合に余った材料を持ち上げて固定するように構成されている。各肩ひも１００は衣服１４に連結した第１の端部１０４と、反対側の第２の端部１０６と、所定の長さを有する中間部分１０８を有している。これらのひもの長さはひも１００の反対側の端部１０６がそれぞれ結び合わされて衣服１４の幅を減少できるようになっている。同様に、衣服１４は腕部３６の近くの前面部３０および後面部３２の間のシーム部材３４に沿って繊維部分１６の外表面部２２から延出するように配置された腰ひも１１０を備えている。この腰ひも１１０は肩ひも１００と同様に形成されていて、同様の様式で衣服１４の幅を減少させるように用いられる。なお、この衣服１４の幅を減少させることは種々の統合装置により達成できる。
【００３０】
図７に示すように、本発明のヘッドギア装置１０はさらに電圧変換機組立体２２６を備えている。この変換機組立体２２６は電池２３０、当該電池２３０に選択的に連結するアダプター２２８、およびクリップ２３２を有している。この電池２３０は市販の６ボルトニッケル金属水素化物電池である。しかしながら、この電池２３０は種々の電圧を有する種々の電池から選択できる。アダプター２２８は電池２３０上に延在し得る大きさで、電圧変換機２３６を収容し、当該電圧変換機２３６は低電圧入力を受容して高電圧出力２３７に変換する。例えば、電圧変換機２３６は６ボルトを１２ボルトに変換可能であり、電池２３０の寿命を短縮することなくファン１２２に供給する電力を増大できる。加えて、変換機２３６は使用者がより小型で軽量の電池２３０を使用することを可能にする。電圧変換機２３６はカリフォルニア州サニーベールのMaxim Integrated Products社から市販されるMaxim Max 773 型１２ボルト高効率低ＩＱステップアップＤＣ−ＤＣコントローラを利用している。なお、コントローラが電池２３０からの電圧をファン１２２において使用可能な高電圧に変換できれば、種々の電圧変換機が本発明の開示に従って使用できることが理解される。アダプター２２８はさらに低電圧アラーム２３８、オン／オフスイッチ（図示せず）、および高電圧／低電圧スイッチ（図示せず）を備えている。電圧変換機組立体２２６のクリップ２３２はアダプター２２８に連結していて、使用者のウエストバンドの上またはポケットに電池２３０を保持するように構成されている。
【００３１】
使用時において、使用者はまず頭部２８上にヘルメット１２を置く。この時に、使用者は外殻部１１４の前端部１２８および後端部１３０に対してファンハウジング１２０の相対的な位置決めを自由に調節できる。加えて、使用者は自由に、回動ピン２２２に対して首筋ストラップ部材２２０を回動することによりストラップ部材２１４の角度を所望の角度に調節でき、調節ノブ２２４を回すことによりストラップ部材２１４が頭部２８に固定嵌合するまで首筋ストラップ部材２２０の長さを調節でき、さらに、固定タブ２１７上の第１の部分２１８を回動できる。このようにしてヘルメット１２を頭部２８上に位置決めすると、電圧変換機組立体２２６を電力コネクタ１９２に取り付けてクリップ２３２により使用者のベルトバックルまたはウエストバンドに固定する。さらに、使用者の顔面に向う空気の流れを調節するために、使用者は前方固定タブ２１６を単に移動するだけで、このタブ２１６が空気流偏向装置１２６を通路１１８の中に出し入れする。
【００３２】
この時点で、使用者は単独または補助者を伴って衣服１４を巻き解く。その後、使用者は衣服の中に入って、両腕（図示せず）を各腕部３６の中に伸ばして、ヘッド部２６を頭部２８にかぶせる。衣服１４がヘッド部２６のみにより形成されている場合は、使用者は単にヘッド部２６を頭部２８に載せるだけである。これら両方の場合において、使用者はその後、フェイスシールド２０を境界部８０が外殻部１１４の前端部１２８上の位置決めフランジ１５０に係合するまで持ち上げる。位置決めフランジ１５０は使用者に対して機械的な停止部として作用して、フェイスシールド２０のフック−ループ式ファスナ（図示せず）に対応するフック−ループ式ファスナ１４８がフェイスシールド２０の境界部８０に近づいたことを使用者に知らせる。この時、使用者はフェイスシールド２０を自分の顔面に向けて押すだけで当該フェイスシールド２０をヘルメット１２上に取り付けることができる。さらに、ファンハウジング１２０とフィルター媒体１８を連結するために、使用者は弾性体バンド９８がリップ部１７８上に延在するまでファンハウジング１２０のカバー１７６の上からフィルター媒体１８を引っ張るだけでよい。これにより、弾性体バンド９８はリップ部１７８を把持してフィルター媒体１８を保持する。
【００３３】
さらに、使用者はそれぞれ反対側の肩ひも１００または腰ひも１１０を結び合わせることにより衣服１４の幅を調節できる。加えて、衣服１４の前面部３０の長さを長くすることができる。この時、使用者あるいは補助者は衣服１４の前面部３０の下端部５２を把持してヘッド部２６から下端部５２を引き離すだけでよい。すなわち、下端部５２を引っ張ることにより衣服１４が当該衣服１４の内面部２４に連結している接着部材６６から引き剥がされる。これにより、前面部３０がその折りたたまれた状態６０からその通常の所定の長さ５６の状態に変化する。
【００３４】
以上、本発明を好ましい実施形態に基いて説明したが、種々の変形および変更が特許請求の範囲に記載されて定められる本発明の範囲および趣旨に逸脱しない限りにおいて可能である。
【００３５】
〔実施の態様〕
（１）  ヘッドギア装置であって、
使用者の頭部上に支持されるように構成された外殻部、および当該外殻部に移動可能に連結されたファンハウジングを備えているヘルメットと、
前記ファンハウジング内に配置されたファンと、
前記ヘルメットに選択的連結される衣服と、を含み、当該衣服がフェイスシールドを備えている、ヘッドギア装置。
（２）  前記外殻部が前端部および後端部を備えており、前記ファンハウジングが当該前端部および後端部の間で移動可能である、実施態様１に記載の装置。
（３）  前記外殻部が前記前端部および後端部の間に延在する孔を有するように構成されており、前記ファンハウジングが当該前端部および後端部の間の孔の中で移動可能である、実施態様２に記載の装置。
（４）  前記孔が少なくとも１つの案内路により画定されており、前記ファンハウジングが当該少なくとも１つの案内路に係合している、実施態様３に記載の装置。
（５）  前記ファンハウジングが前記少なくとも１つの案内路に沿って延在する少なくとも１つのボス部を有するように形成された床部を備えている、実施態様４に記載の装置。
（６）  前記ファンハウジングが前記孔を貫通するガイド部材を備えている、実施態様３に記載の装置。
（７）  前記外殻部が内面部および外面部を備えており、前記孔が当該内面部および外面部の間に延在していて、前記ヘルメットが当該孔の近くの外殻部の内面部に連結するシールドをさらに備えている、実施態様３に記載の装置。
（８）  前記外殻部が内面部および外面部を備えており、前記ヘルメットが前記外殻部の内面部から離間する内側パネルをさらに備えていて、当該内側パネルと外殻部の内面部との間に延在する通路が画定されている、実施態様２に記載の装置。
（９）  前記通路が前記ファンハウジングと前記外殻部の前端部との間に延在している、実施態様８に記載の装置。
（１０）前記外殻部が前端部、後端部、および前記衣服に取り付けるように形成された前端部近傍のシールド取付部材を備えている、実施態様１に記載の装置。
（１１）前記シールド取付部材がフック−ループ式ファスナを備えている、実施態様１０に記載の装置。
（１２）前記シールド取付部材が前記フェイスシールドに係合するように形成されたフランジを備えている、実施態様１０に記載の装置。
（１３）前記ヘルメットの外殻部が空孔部を画定しており、前記ファンハウジングが当該空孔部の中に配置される、実施態様１に記載の装置。
（１４）前記ヘルメットが前記ファンハウジングに連結して通気路を画定する空気ダクトを備えている、実施態様１３に記載の装置。
（１５）ヘッドギア装置であって、
使用者の頭部の上に支持されるように構成されて、前端部および後端部を有するように形成された外殻部および当該外殻部に連結するファンハウジングを備えるヘルメットと、
前記ファンハウジング内に配置されるファンと、
前記ヘルメットに選択的に連結される衣服と、を含み、
当該衣服が、
フェイスシールドを有するヘッド部と、
第１の通常の所定の長さを定める上端部および下端部、ならびに、当該上端部および下端部の間に延在する中間部を有する、前面部と、
当該前面部の通常の所定の長さよりも短い第２の通常の所定の長さを有する反対側の背面部と、を備えており、
前記下端部が前記中間部上に折りたたまれていて、折りたたまれた状態で固定されて、前記前面部が前記背面部の第２の通常の所定の長さにほぼ等しい折りたたまれた状態の長さを有する、ヘッドギア装置。
（１７）前記シールド取付部材がフック−ループ式ファスナを備えている、実施態様１６に記載の装置。
（１８）前記シールド取付部材が前記フェイスシールドに係合するように形成されたフランジを備えている、実施態様１６に記載の装置。
（１９）前記外殻部が案内路を有するように形成されており、前記ファンハウジングが当該案内路に沿って外殻部に対して移動するように形成されている、実施態様１５に記載の装置。
（２０）ヘッドギア装置であって、
ヘルメットと、
当該ヘルメットに選択的に連結される衣服と、を含み、当該衣服がフェイスシールドを有するヘッド部と、第１の通常の所定の長さを定める上端部および下端部、および当該上端部および下端部の間に延在する中間部を有する前面部と、当該前面部の通常の所定の長さよりも短い第２の通常の所定の長さを有する反対側の背面部と、を備えており、前記下端部が前記中間部上に折りたたまれていて、折りたたまれた状態で固定されて、前記前面部が前記背面部の第２の通常の所定の長さにほぼ等しい折りたたまれた状態の長さを有する、ヘッドギア装置。
（２１）前記ヘルメットに連結するファンをさらに含む、実施態様２０に記載の装置。
（２２）前記ヘルメットが外殻部およびファンハウジングを備えており、前記ファンが当該ファンハウジング内に配置される、実施態様２１に記載の装置。
（２３）ヘッドギア装置であって、
使用者の頭部の上に支持されるように構成されたヘッドカバーと、
前記ヘッドカバーにより支持されるファンと、を含み、
当該ファンが、（ｉ）多数個のブレード、および、（ｉｉ）当該多数個のブレードを移動経路内に回転させるためのモーターを有しており、
前記多数個のブレードが、それぞれ、（ｉ）前記移動経路に対する進行側ブレード面、および（ｉｉ）前記移動経路に対する追行側のブレード面を画定しており、
（ｉ）前記進行側ブレード面が凸状の形状を有していて、（ｉｉ）前記追行側ブレード面が凹状の形状を有している、ヘッドギア装置。
【図面の簡単な説明】
【図１】  本発明による手術服の頭部の側面図であり、布製の衣服部分と、当該衣服部分に連結したフィルター媒体と、フェイスシールドと、を備えている頭部を示している図である。
【図２】  図１の手術服と共に使用するのに適している本発明によるヘルメットの側面図であり、前端部および後端部を有する外殻部と、当該後端部の近傍のファンハウジングと、ファンハウジングから延出する空気ダクトと、固定タブにより外殻部に連結されたストラップ部材と、を備えているヘルメットを示している図である。
【図３】  部分的に破断した図２のヘルメットの側面図であり、後端部近傍のファン受容空孔部と、当該ファン受容空孔部と外殻部の前端部との間に延在する通路と、当該通路内に配置された空気流偏向装置と、を備えるように形成された外殻部、および外殻部の後端部に対して移動するようにファン受容空孔部内に配置されたファンハウジングを示している図である。
【図４】  図２のヘルメットの下面図であり、複数の貫通する開口部を有する内面部と、当該内面部を貫通する案内路孔と、当該内面部に固定されて案内路孔を被覆するように固定されたヘッドシールドと、を備えているヘルメットを示している図である。
【図５】  図１の手術服の頭部に連結した図２のヘルメットの部分的に破断した側面図であり、使用者の頭部の上に支持されたヘルメットおよび当該ヘルメットのファンハウジング内に配置されたファンを示すと共に、当該ファンが空気の流れを通路を介して使用者の顔面に向けて流すフィルター媒体を貫通する空気の流路を示している図である。
【図６】  図５のファンの上面図であり、湾曲状のブレードを備えるファンを示すと共に、ファンハウジング内のファンの移動方向を示している図である。
【図７】  図５のヘッドギア装置の部分的に破断した前面図であり、仮想線のファン、および、頭部と、前面部と、当該前面部から延出する腕部と、当該腕部の近傍に位置する腰部結び目と、肩部結び目と、ファンに連結した電池と、当該電池を保持して使用者のウエストバンドに挟まれたアダプターと、を有する衣服を示すと共に、仮想線の接着性片状部材および通常の長さに延ばした前面部の下端部を示している図である。
【図８】  部分的に破断した図７のヘッドギア装置の側面図であり、シーム部材により前面部に連結した背面部と、当該シーム部材に連結した１つの腰部結び目と、ジッパーと、を有する衣服を示すと共に、通常は中間部において折りたたまれていて、折りたたまれた状態で固定されて、背面部の通常の長さにほぼ等しい折りたたまれた長さを有している前面部の下端部を示している図である。
【図９】  図７のヘッドギアの背面図であり、背面の長さに沿って延在するジッパーを示すと共に、仮想線の、結び合わせた腰部結び目および結び合わせた肩部結び目、および折りたたんだ状態の前面部の下端部を示している図である。
【図１０】  本発明のヘッドギア装置と共に使用するのに適する電圧変換機組立体の概略図であり、電圧変換機に低電圧入力を供給するバッテリーを含む変換機組立体を示しており、当該電圧変換機がファンに高電圧出力を供給し、さらに、当該電圧変換機に連係する低電圧アラームを示している図である。
【図１１】  ファンハウジングのカバーの側面図であり、複数の貫通孔を有する上部と入口リングを備えるカバーを示している図である。
【図１２】  図１１の入口リングの上面図であり、外側リム、シールド部分、および当該シールド部分を貫通する孔を備えている入口リングを示している図である。
【図１３】  図１２の線１３−１３に沿う断面図であり、ファンハウジングに係合するためのタブを有する入口リングを示すと共に、湾曲部分を有するシールド部分を示している図である。
【符号の説明】
１０  ヘッドギア装置
１２  ヘルメット
１４  手術服
１２０  ファンハウジング
１２２  ファン
【図１】
0004503174.tif 000002
【図２】
0004503174.tif 000003
【図３】
0004503174.tif 000004
【図４】
0004503174.tif 000005
【図５】
0004503174.tif 000006
【図６】
0004503174.tif 000007
【図７】
0004503174.tif 000008
【図８】
0004503174.tif 000009
【図９】
0004503174.tif 000010
【図１０】
0004503174.tif 000011
【図１１】
0004503174.tif 000012
【図１２】
0004503174.tif 000013
【図１３】
0004503174.tif 000014